(57)【要約】【課題】  複数のＭＰＥＧ形式の動画をフレーム単位で同期させて再生する装置において、コンパクトで、低コストで利用することが可能な動画データの同期再生装置を提供する。【解決手段】  データ入力部１０と、デコーダ２０と、同期画像フレーム特定手段３０と、デコードされた各画像フレームが同期画像フレームであるか判断する画像フレーム判断手段５０と、デコードされた各画像フレームが同期画像フレームであると判断された場合には、各画像フレームをデータ入力部１０に対応させて記憶する記憶手段６０と、データ入力部１０のすべてに対応して各画像フレームが記憶されているか否かを判断するメモリチェック手段７０と、記憶手段６０にデータ入力部１０のそれぞれに対応させて記憶されている画像フレームを出力する出力部８０とを具備する動画データの同期再生装置。【選択図】  図２
2007228502.tif 000002
【特許請求の範囲】
【請求項１】
ＭＰＥＧ形式の動画データが複数系統から入力されるデータ入力部と、
前記複数系統から入力されたＭＰＥＧ形式の動画データをそれぞれデコードするデコーダと、
前記デコーダによりデコードされた画像フレームにおいて、同期再生を開始させる画像フレームを各データ入力部毎に特定する同期画像フレーム特定手段と、
前記デコーダによりデコードされた各画像フレームが前記同期画像フレーム特定手段により特定された画像フレームであるか否かを判断する画像フレーム判断手段と、
前記画像フレーム判断手段により、前記デコードされた各画像フレームが前記同期画像フレーム特定手段により特定された画像フレームであると判断された場合には、前記デコードされた各画像フレームを前記複数系統のデータ入力部のそれぞれに対応させて記憶する記憶手段と、
前記記憶手段に、前記複数系統のデータ入力部のすべてに対応して前記デコードされた各画像フレームが記憶されているか否かを判断するメモリチェック手段と、
前記記憶手段において、前記複数系統のデータ入力部のそれぞれに対応させて記憶されている画像フレームを出力する出力部と、を具備し、
前記メモリチェック手段が、前記複数のデータ入力部のすべてに対応して前記デコードされた各画像フレームが前記記憶手段に記憶されていると判断した場合には、前記複数系統のデータ入力部のそれぞれに対応させて記憶されている画像フレームを前記出力部に互いに同期させて出力させることを特徴とする動画データの同期再生装置。
【請求項２】
前記同期画像フレーム特定手段により特定された同期画像フレームが属するＧＯＰデータを前記動画データ内から検索するＧＯＰ検索手段が配設され、
前記デコーダによるデコード処理を前記同期開始フレームが属するＧＯＰの先頭から開始可能にしたことを特徴とする請求項１記載の動画データの同期再生装置。
【請求項３】
前記出力部は複数配設されていることを特徴とする請求項１または２記載の動画データの同期再生装置。
【請求項４】
前記画像フレーム判断手段により、前記デコードされた各画像フレームが前記同期画像特定手段により特定された画像フレームではないと判断された場合には、前記デコードされた各画像フレームのデータを破棄する画像フレームデータ破棄手段を有していることを特徴とする請求項１〜３のうちのいずれか一項記載の動画データの同期再生装置。
【発明の詳細な説明】
【技術分野】
【０００１】
本発明は、複数のＭＰＥＧ形式の動画を互いにフレーム単位で同期させて再生する動画データの同期再生装置に関する。
【背景技術】
【０００２】
複数の動画入力を互いにフレーム単位で同期させて記録する動画データの同期再生装置の分野において、外部機器との同期のために、タイムコード入出力を装備するオーディオビデオプレーヤが提供されている。
このようなオーディオビデオプレーヤによれば、複数の動画映像をフレーム単位で同期させて再生することができるとしている。
【非特許文献１】”株式会社  デノン［会社情報／ニュースリリース］”、［ｏｎｌｉｎｅ］、ＤＥＮＯＮ，Ｌｔｄ、［平成１８年２月１１日検索］、インターネット＜ＵＲＬ：http://denon.jp/company/release/n_dnv1500.html
【発明の開示】
【発明が解決しようとする課題】
【０００３】
上記のネットワークオーディオビデオプレーヤを用いて複数の動画映像を同期させて再生するためには、複数台のオーディオビデオプレーヤが必要になり、オーディオビデオプレーヤを設置するスペースの確保が困難であるという課題や、コスト的にも負担が大きくなってしまうという課題があった。
【０００４】
本発明は上記課題を解決すべくなされたものであり、その目的とするところは、複数のＭＰＥＧ形式の動画をフレーム単位で同期させて再生する装置において、コンパクトで、低コストで利用することが可能な動画データの同期再生装置を提供することにある。
【課題を解決するための手段】
【０００５】
本発明に係る動画データの同期再生装置は以下の構成を備える。
すなわち、ＭＰＥＧ形式の動画データが複数系統から入力されるデータ入力部と、前記複数系統から入力されたＭＰＥＧ形式の動画データをそれぞれデコードするデコーダと、前記デコーダによりデコードされた画像フレームにおいて、同期再生を開始させる画像フレームを各データ入力部毎に特定する同期画像フレーム特定手段と、前記デコーダによりデコードされた各画像フレームが前記同期画像フレーム特定手段により特定された画像フレームであるか否かを判断する画像フレーム判断手段と、前記画像フレーム判断手段により、前記デコードされた各画像フレームが前記同期画像フレーム特定手段により特定された画像フレームであると判断された場合には、前記デコードされた各画像フレームを前記複数系統のデータ入力部のそれぞれに対応させて記憶する記憶手段と、前記記憶手段に、前記複数系統のデータ入力部のすべてに対応して前記デコードされた各画像フレームが記憶されているか否かを判断するメモリチェック手段と、前記記憶手段において、前記複数系統のデータ入力部のそれぞれに対応させて記憶されている画像フレームを出力する出力部と、を具備し、前記メモリチェック手段が、前記複数のデータ入力部のすべてに対応して前記デコードされた各画像フレームが前記記憶手段に記憶されていると判断した場合には、前記複数系統のデータ入力部のそれぞれに対応させて記憶されている画像フレームを前記出力部に互いに同期させて出力させることを特徴とする動画データの同期再生装置である。
【０００６】
また、前記同期画像フレーム特定手段により特定された同期画像フレームが属するＧＯＰデータを前記動画データ内から検索するＧＯＰ検索手段が配設され、前記デコーダによるデコード処理を前記同期開始フレームが属するＧＯＰの先頭から開始可能にしたことを特徴とする。
これにより、同期再生に直接関係のないＧＯＰデータのデコードを省略することができ、同期再生開始までに要するデコード時間を大幅に短縮することが可能になる。
【０００７】
また、前記出力部は複数配設されていることを特徴とする。
これにより、ＭＰＥＧ形式の動画を用いた立体視映像の提供や、複数箇所における動画の同期再生が可能になる。
【０００８】
さらに、前記画像フレーム判断手段により、前記デコードされた各画像フレームが前記同期画像特定手段により特定された画像フレームではないと判断された場合には、前記デコードされた各画像フレームのデータを破棄する画像フレームデータ破棄手段を有していることを特徴とする。
これにより、記憶手段の記憶容量を最小限に抑えることができるため、さらに低コストで動画データの同期再生装置を提供することができる。
【発明の効果】
【０００９】
本発明に係る動画データの同期再生装置によれば、同期させるべき動画データが複数ある場合であっても再生装置自体は一台にすることができるため、コンパクトであると共に、低コストで動画の同期再生装置を利用することが可能になる。
【発明を実施するための最良の形態】
【００１０】
以下、本実施の形態における動画データの同期再生装置の最良の形態を説明する。
図１は、本実施の形態における動画データの同期再生装置の概略構成を示すブロック図である。
動画データの同期再生装置１００は、図示しない外部装置からＭＰＥＧ形式の動画データが入力されるデータ入力部１０と、データ入力部１０から入力されたＭＰＥＧ形式のデータをデコードするデコーダ２０と、同期再生を開始する画像フレームを特定する同期画像フレーム特定手段３０と、同期再生を開始する画像フレームが属するＧＯＰを検索する再生開始対象ＧＯＰ検出手段４０と、デコーダ２０によりデコードされた画像フレームが同期画像フレームであるか否かを判断する画像フレーム判断手段５０と、同期画像フレームを各データ入力部１０に対応させて記憶する記憶手段６０と、記憶手段６０にすべてのデータ入力部１０に対応して同期画像フレームが記憶されているか否かを判断するメモリチェック手段７０と、記憶手段６０に記憶されている各データ入力部１０に対応して記憶されている同期画像フレームをそれぞれ出力する出力部８０と、動画データの同期再生装置１００全体の動作を制御する制御手段Ａを有している。
【００１１】
また、動画データの同期再生装置１００は、デコーダ２０によりデコードされた画像データが、画像フレーム判断手段５０により同期画像フレームＳＹＮＣＦはでないと判断された際に、その画像フレームのデータを破棄するデータ破棄手段９０と、出力部８０に出力させた画像データを各出力部８０に対応させると共に、時系列に沿って累積させて記憶させる第２の記憶手段９２も有している。
このような動画データの同期再生装置１００は、一般的なパーソナルコンピュータにより実現することが可能である。動画データの同期再生装置１００としての利用が可能に設けられたパーソナルコンピュータには、ユーザの意思をパーソナルコンピュータ（動画データの同期再生装置１００）に反映させるためのマウス、キーボード等により構成される入力手段が設けられている。
【００１２】
本実施の形態においては、ＭＰＥＧ形式の動画データを供給する外部装置が、デジタルビデオカメラ（記録形式はもちろんＭＰＥＧ形式である）であるとして説明をすすめることにする。また、本実施の形態においては、４台のデジタルビデオカメラからＭＰＥＧ形式の画像データが入力されている形態について説明する。
データ入力部１０は、図示しない４台のデジタルビデオカメラのそれぞれに対応して配設されていて、動画データのそれぞれを独立させた状態で動画データの同期再生装置１００に取り込んでいる。
【００１３】
まず、事前設定について説明を行う。
各データ入力部１０からに入力された動画データ（ＭＰＥＧデータのＧＯＰ）がデコーダ２０によりデコードされた後、デコードされた動画データがモニタ等の出力部８０に出力される。ユーザは、出力部８０に出力された複数の動画データのうち、ある一つの動画データを対象として、同期再生を開始したいと考える画像フレームを同期画像フレームＳＹＮＣＦとして選択する。ユーザにより選択された同期画像フレームＳＹＮＣＦのデータは、動画の同期再生装置１００として利用可能に設けられているパーソナルコンピュータの入力手段により記憶手段６０に記憶される。同期画像フレームＳＹＮＣＦのデータとしては、同期画像フレームＳＹＮＣＦの画像データそのもの、時間情報、同期画像フレームＳＹＮＣＦが属するＧＯＰデータ、同期画像フレームＳＹＮＣＦがＧＯＰデータの先頭から何番目のフレームであるか等の情報があり、それぞれの情報が記憶手段６０に記憶される。
【００１４】
次に、同期画像フレーム特定手段３０は、すでに記憶手段６０に記憶されている同期画像フレームＳＹＮＣＦが属するＧＯＰデータおよび時間情報等に基づいて、ユーザに選択されなかった他のデータ入力部１０から入力される動画データにおいて同期画像フレームＳＹＮＣＦに対応する画像フレームを特定する。同期画像フレーム特定手段３０により特定された画像フレームも、すでに選択されている同期画像フレームＳＹＮＣＦと同様に、同期画像フレームＳＹＮＣＦの画像データそのもの、時間情報、同期画像フレームＳＹＮＣＦが属するＧＯＰデータ、同期画像フレームＳＹＮＣＦがＧＯＰデータの先頭から何番目のフレームであるか等のフレームに関する情報が記憶手段６０に記憶される。
以上により事前設定が完了する。
【００１５】
事前設定が完了した後は、制御手段Ａにより、複数のデータ入力部１０に動画データが入力される。動画データであるＭＰＥＧデータが入力されると、ＧＯＰ検索手段４０が、記憶手段６０に記憶されている同期画像フレームＳＹＮＣＦが属するＧＯＰデータを検索する。また、ＧＯＰ検索手段４０は該当するＧＯＰデータを検索した後、該当するＧＯＰデータの先頭位置までＭＰＥＧデータを早送りする。ＭＰＥＧデータが早送りされた後、デコーダ２０がＧＯＰデータの先頭にあるＩピクチャーデータのデコードを行う。
ＧＯＰの２番目以降の画像フレームデータのデコード処理は、一回目のデコードにより得られた画像フレームのデータに基づいて、ＧＯＰデータの２番目に位置しているＢピクチャーデータ、Ｐピクチャーデータを用いて行われる。
このように、ＧＯＰデータのＮ番目の画像フレームのデコードは、（Ｎ-１）番目の画像フレームのデータに基づいて、Ｎ番目のＢピクチャーデータ、Ｐピクチャーデータを用いて処理されるのである。
【００１６】
画像フレーム判断手段５０は、各信号入力部１０に対応させて記憶手段６０に記憶させていた同期画像フレームＳＹＮＣＦに関する情報と、デコーダ２０がデコードしている画像フレームに関する情報との比較を行う。
画像フレーム判断手段５０が、デコーダ２０がデコードしている画像フレームを、記憶手段６０に記憶させてある同期画像フレームＳＹＮＣＦと同一の画像フレームであると判断した場合には、制御手段Ａは、デコードされた画像フレームデータを各信号入力部１０に対応させた状態で記憶手段６０に記憶させた後、記憶させた画像フレームデータに対応するデータ入力部１０からのＭＰＥＧデータのデコード処理を一時停止状態にして待機させる。
【００１７】
一方、画像フレーム判断手段５０が、デコーダ２０がデコードしている画像フレームを、同期画像フレームＳＹＮＣＦと同一の画像フレームではないと判断した場合には、制御手段Ａがデコーダ２０に次の画像フレームデータをデコードさせる。また、デコーダ２０により最新の画像フレームデータがデコードされると、画像データ破棄手段９０が最新の画像フレームデータをデコードする際に用いた画像フレームデータを破棄する。すなわち、最新の画像フレームデータがデコードされる度に、一つ前の画像フレームデータが破棄されることになるのである。
【００１８】
画像フレーム判断手段５０によるデコードされた画像フレームの判断処理と並行して、メモリチェック手段７０が記憶手段６０において各信号入力部１０に対応させた状態で記憶されている画像データの有無の確認を行う。メモリチェック手段７０により、記憶手段６０において各信号入力部１０のそれぞれに対して画像フレームデータが記憶されていると判断された場合には、制御手段Ａが記憶手段６０において各データ入力部１０に対応させた状態で記憶されている各画像フレームデータを互いに同期させて各出力部８０に出力させる。各出力部８０に画像フレームデータを出力する際には、第２の記憶手段９２に各出力部８０に対応させると共に、時系列に沿わせた状態で画像フレームデータを累積させて記憶させている。
第２の記憶手段９２を設けることにより、動画データをフレーム単位で同期させた状態の再生だけではなく、巻き戻し再生においてもフレーム単位で同期させた状態を維持することができる。
【００１９】
次に、動画データの同期再生装置におけるデータ処理手順について説明する。図２は、各入力部から入力されたＭＰＥＧ形式の動画データの概略構成を示す説明図である。図３は、同期再生開始フレームが属するＧＯＰデータ部分を拡大した説明図である。図４は、動画データの同期再生の処理手順を示すフロー図の前半部分である。図５は、動画データの同期再生の処理手順を示すフロー図の後半部分である。
事前設定により、各動画データにおける同期画像フレームＳＹＮＣＦと、同期画像フレームＳＹＮＣＦが属するＧＯＰデータは既に求められている。図２、図３においては、同期画像フレームＳＹＮＣＦの位置が各入力信号を横切る破線により示されている。また、同期画像フレームＳＹＮＣＦが属するＧＯＰデータにはハッチングが施されている。
図２、図３からも明らかなように、同一の被写体を撮影していたとしても、撮影方向や撮影開始時間のわずかなずれ等の各種条件の相違により、同期画像フレームＳＹＮＣＦが属するＧＯＰデータの開始時間は必ずしも一致するとは限らない。
【００２０】
まず、ＧＯＰ検索手段４０が、同期画像フレームＳＹＮＣＦが属するＧＯＰデータを検索し、検索したＧＯＰデータの先頭位置までデコーダ２０にデコードさせるデータ位置を移動（ステップ１）させる。
本実施の形態においては、図３に示すように、同期画像フレームＳＹＮＣＦが属するＧＯＰデータにおいて、同期画像フレームＳＹＮＣＦまでのフレーム数は、動画データ１ないし４においてそれぞれ、Ａフレーム、Ｂフレーム、Ｃフレーム、Ｄフレーム（Ａ≠Ｂ≠Ｃ≠Ｄ）となっている。
【００２１】
デコーダ２０は、動画データ１ないし４に対応するＧＯＰデータの先頭にあるＩピクチャーフレームをデコードして基準となる画像フレームデータＫＦＤ１ないし４をデコード（ステップ２）する。この後、画像フレーム判断手段５０が記憶手段６０に格納されている同期画像フレームＳＹＮＣＦに関するデータに基づいて、基準となる画像フレームデータＫＦＤ１ないし４が同期画像フレームＳＹＮＣＦと同一フレームであるか否かを判断（ステップ３）する。
【００２２】
画像フレーム判断手段５０が基準となる画像フレームデータＫＦＤ１ないし４のうちのいずれかが同期画像フレームＳＹＮＣＦであると判断した場合（ステップ３のＹｅｓ側）には、制御手段Ａが該当する画像フレームデータＫＦＤ1ないし４のいずれかを同期画像フレームＳＹＮＣＦとしてデータ入力部１０に対応させて記憶手段６０に記憶させる（ステップ４）と共に、対応させたデータ入力部１０からの動画データのデコード処理を一時停止（ステップ５）させる。
一方、画像フレーム判断手段５０により、基準となる画像フレームデータＫＦＤ１ないし４のうちのいずれかまたはすべてが同期画像フレームＳＹＮＣＦではないと判断された場合（ステップ３のＮｏ側）には、デコーダ２０が基準となる画像フレームデータＫＦＤ１ないし４のうちのいずれかまたはすべてと、差分データであるＢピクチャーデータおよび／またはＰピクチャーデータを用いて次の画像フレームデータＦＤ１（Ｎ）ないしＦＤ４（Ｎ）のいずれかまたはすべてをデコード（ステップ６）した後、データ破棄手段９０が基準となる画像フレームデータＫＦＤ１ないし４を破棄（ステップ７）する。
【００２３】
再び画像フレーム判断手段５０は、記憶手段６０に格納されているデータに基づいて、画像フレームデータＦＤ１（Ｎ）ないしＦＤ４（Ｎ）のいずれかまたはすべてが記憶手段６０に記憶されている同期画像フレームＳＹＮＣＦと同一画像フレームであるか否かを判断（ステップ８）する。
画像フレーム判断手段５０が画像フレームデータＦＤ１（Ｎ）ないしＦＤ４（Ｎ）のうちのいずれかまたはすべてが同期画像フレームＳＹＮＣＦと同一画像フレームであると判断した場合（ステップ８のＹｅｓ側）には、制御手段Ａが該当する画像フレームデータＦＤ１（Ｎ）ないしＦＤ４（Ｎ）のいずれかまたはすべてを同期画像フレームＳＹＮＣＦとしてデータ入力部１０に対応させて記憶手段６０に記憶させる（ステップ４）と共に、対応させたデータ入力部１０からの動画データのデコード処理を一時停止（ステップ５）させる。
依然として画像フレーム判断手段５０が画像フレームデータＦＤ１（Ｎ）ないしＦＤ４（Ｎ）のうちのいずれかまたはすべてが同期画像フレームＳＹＮＣＦと同一フレームではないと判断した場合（ステップ８のＮｏ側）には、デコーダ２０が画像フレームデータＦＤ１（Ｎ）ないしＦＤ４（Ｎ）のいずれかまたはすべてと、差分データであるＢピクチャーデータおよび／またはＰピクチャーデータを用いて次の画像フレームデータＦＤ１（Ｎ+１）ないしＦＤ４（Ｎ+１）のいずれかまたはすべてをデコード（ステップ６）すると共に、データ破棄手段９０が一つ前の画像フレームデータＦＤ１（Ｎ）ないしＦＤ４（Ｎ）を破棄（ステップ７）する。
【００２４】
このようにしてデコーダ２０がＧＯＰデータの先頭から１フレーム毎デコードを実行し画像フレーム判断手段５０による画像データの比較がなされる。また、ステップ５を実行した後には、メモリチェック手段７０が記憶手段６０内において、各データ入力部１０に対応する同期画像フレームＳＹＮＣＦが記憶されているか否かを判断（ステップ９）する。
メモリチェック手段７０がすべてのデータ入力部１０に対応して同期画像フレームＳＹＮＣＦが記憶されていない（同期再生の準備ができていない）と判断した場合（ステップ９のＮｏ側）は、メモリチェック手段７０がすべてのデータ入力部１０に対応して同期画像フレームＳＹＮＣＦが記憶されている（同期再生の準備ができている）と判断するまで、ステップ６、ステップ７、ステップ８、ステップ４、ステップ５、ステップ９の処理が繰り返される。
【００２５】
メモリチェック手段７０が記憶手段６０にすべてのデータ入力部１０に対応して同期画像フレームＳＹＮＣＦが記憶されていると判断した場合（ステップ９のＹｅｓ側）には、制御手段Ａが記憶手段６０に記憶されている各データ入力部１０に対応させた各同期画像フレームＳＹＮＣＦを同期させて出力部８０に出力（ステップ１０）させ、第２の記憶手段９２にデータ入力部１０に対応させて各同期画像フレームＳＹＮＣＦを記憶させる（ステップ１１）。この直後、デコーダ２０が、同期画像フレームＳＹＮＣＦに基づいて同期画像フレームＳＹＮＣＦの次の画像フレームのデコードを再開（ステップ１２）し、デコード完了後、デコードした画像フレームを出力部８０に出力（ステップ１３）すると共に、第２の記憶手段９２に既に記憶されている画像フレームの後に続けてデコードした画像フレームを時系列に沿わせて累積させて記憶させる（ステップ１４）。もちろん、デコード再開後における画像フレームの出力は、出力部８０毎に同期させて表示させているのは云うまでもない。
以上に説明した処理方法により、複数系統のデータ入力部１０から入力された動画データをフレーム単位で同期させた状態で再生することが可能になる。
【００２６】
また、本実施の形態においては、第２の記憶手段９２がデータ入力部１０に対応させて各画像フレームを時系列に沿わせて累積的に記憶しているので、動画データの同期再生は、通常再生のみならず、巻き戻し再生も同期させることが可能であるため好都合である。
【００２７】
以上に、本実施の形態について詳細な説明を行ったが、本願発明は、以上の実施形態に限定されるものではない。
例えば、本実施の形態においては、事前設定において、ユーザが同期画像フレームＳＹＮＣＦを選択した後、同期画像フレームＳＹＮＣＦが属するＧＯＰを特定して、同期画像フレームＳＹＮＣＦとＧＯＰデータをデータ入力部１０に対応させて記憶手段６０に記憶させた後、ＧＯＰ検出手段３０が記憶手段６０に記憶されているＧＯＰデータを検索して、動画データのデコード開始位置を同期画像フレームＳＹＮＣＦが属するＧＯＰデータの先頭にジャンプさせる処理を実行する形態について説明をしているが、動画データの同期再生開始までの時間を短縮する必要がない場合には、ＧＯＰ検出手段３０を省略した形態であっても、本願発明は実現可能である。
【００２８】
この場合、ユーザにより同期画像フレームＳＹＮＣＦが選択された後、同期画像フレームＳＹＮＣＦと同期画像フレームＳＹＮＣＦの時間情報を各データ入力部１０に対応させて記憶手段６０に記憶しておくだけでよい。
データ入力部１０から入力された動画データ（ＭＰＥＧ形式データ）のデータ開始部分から１フレームずつ順番にデコードを進め、デコードすることにより得られた画像フレームデータと、記憶手段６０に記憶させている同期画像フレームＳＹＮＣＦとをピクセル単位で比較する形態や、デコードにより得られた画像フレームの時間情報と、記憶手段６０に記憶させてある同期画像フレームＳＹＮＣＦの時間情報とを互いに比較することにより、デコードにより得られた画像フレームが同期画像フレームＳＹＮＣＦと同一フレームであるか否かを判断することができる。
【００２９】
また、本実施の形態においては、データ入力部１０の入力系統の数と等しい数の出力部８０が配設されている形態について説明しているが、出力部８０の数は、使用目的に応じてデータ入力部１０の入力系統の数より増やすことも減らすことができるのはもちろんである。
さらにまた、動画データの同期再生機能を通常再生機能のみに限定すれば、第２の記憶手段９２の配設を省略することができ、より低コストで動画データの同期再生装置１００を提供することも可能である。
【図面の簡単な説明】
【００３０】
【図１】本実施の形態における動画データの同期再生装置の概略構成を示すブロック図である。
【図２】各入力部から入力されたＭＰＥＧ形式の動画データの構成を示す説明図である。
【図３】同期再生開始フレームが属するＧＯＰデータ部分を拡大した説明図である。
【図４】動画データの同期再生の処理手順を示すフロー図の前半部分である。
【図５】動画データの同期再生の処理手順を示すフロー図の後半部分である。
【符号の説明】
【００３１】
１０  データ入力部
２０  再生開始対象ＧＯＰ検索手段
３０  同期画像フレーム特定手段
４０  デコーダ
５０  画像フレーム判断手段
６０  記憶手段
７０  メモリチェック手段
８０  出力部
９０  データ破棄手段
９２  第２の記憶手段
１００  動画データの同期再生装置
【図１】
2007228502.tif 000003
【図２】
2007228502.tif 000004
【図３】
2007228502.tif 000005
【図４】
2007228502.tif 000006
【図５】
2007228502.tif 000007